(57)【要約】【課題】使用電気代が極めて安く、自由に持ち運びができ、そして人体に対する医療的な治療にも適用できる着脱式暖房器を有する椅子を提供すると共に、電源を外した状態で暖房でき、猫や犬等のペットに対し、健康で快適に過ごすことができる環境を与えるペットハウスを提供すること。【解決手段】  着脱式の暖房器を有する保温具において、該保温具を少なくとも背凭れ部及び座部を有して成る椅子で構成し、前記背凭れ部の腰部当接面及び／又は前記座部の臀部当接面内部のクッション部材に前記着脱式暖房器を収納して成る。【選択図】  図６
2004243100.tif 000002
【特許請求の範囲】
【請求項１】
着脱式の暖房器を有する保温具において、該保温具を少なくとも背凭れ部及び座部を有して成る椅子で構成し、前記背凭れ部の腰部当接面及び／又は前記座部の臀部当接面内部のクッション部材に前記着脱式暖房器を収納して成る、保温具が椅子であることを特徴とする着脱式暖房器を有する保温具。
【請求項２】
前記着脱式暖房器は、遠赤外線を発する充電式アンカであることを特徴とする請求項１に記載の着脱式暖房器を有する保温具。
【請求項３】
前記背凭れ部の腰部当接面又は前記座部の臀部当接面には、着脱自在又は開閉自在な蓋体が設けられ、かつ該蓋体には、熱放出用の複数個の孔又は凹部が設けられていることを特徴とする請求項１又は請求項２に記載の着脱式暖房器を有する保温具。
【請求項４】
前記背凭れ部の腰部当接面又は前記座部の臀部当接面は、前記クッション部材により突設されていることを特徴とする請求項１ないし請求項３のいずれかに記載の着脱式暖房器を有する保温具。
【請求項５】
前記椅子は座椅子であることを特徴とする請求項１ないし請求項４のいずれかに記載の着脱式暖房器を有する保温具。
【請求項６】
着脱式暖房器を有する保温具において、該保温具を少なくともペット出入口、天井、床面、周壁を有して成るペットハウスで構成し、前記床面及び／又は前記周壁の内部に前記着脱式暖房器を収納して成る、保温具がペットハウスであることを特徴とする着脱式暖房器を有する保温具。
【請求項７】
前記着脱式暖房器は、遠赤外線を発する充電式アンカであることを特徴とする請求項６に記載の着脱式暖房器を有する保温具。
【請求項８】
前記ペットハウスが保温性を有する材料で形成されていることを特徴とする請求項６又は請求項７に記載の着脱式暖房器を有する保温具。
【請求項９】
前記床面及び／又は前記周壁における前記着脱式暖房器の収納部には、蓋体が開閉可能に設けられていることを特徴とする請求項６ないし請求項８のいずれかに記載の着脱式暖房器を有する保温具。
【発明の詳細な説明】
【技術分野】
【０００１】
本発明は、着脱式暖房器を有する保温具に関し、さらに詳細には、保温具を少なくとも背凭れ部及び座部を有して成る椅子としたことを特徴とする着脱式暖房器を有する保温具、及び、保温具を少なくともペット出入口、天井、床面、周壁を有して成るペットハウスとしたことを特徴とする着脱式暖房器を有する保温具に関する。
【背景技術】
【０００２】
従来より、例えば面状発熱体やヒーター等の電気暖房器を使用した椅子、机、床暖房、膝掛け等の種々の保温具が公知である。
【０００３】
また、近年、ペットブームが全国的に広がっており、猫や犬等のペット（以下、単に「ペット」と言う。）を上述したような電気暖房器を備えたペットハウス内で飼育する家庭も増えている。
【０００４】
特に、上述したような椅子の中には、背凭れ部及び／又は座部の内部に暖房器を収納し、腰部や臀部を温めるようにした暖房器を有する身体保温用の椅子が知られている。
【０００５】
具体例として、背凭れ部と座部とを熱可塑性合成樹脂によって一体的に構成し、座部内に面状発熱体を収納して成り、野球場等のスタンドにおいて観客席として使用するようにした発熱体内蔵の椅子があげられる。（例えば、特許文献１参照。）
また、背凭れ部と座部の両方に発熱線又は面状発熱体を装着して成る車両運転用の椅子が一般に知られている。（例えば、特許文献２参照。）
しかしながら、このような面状発熱体、あるいは発熱線により腰部や臀部を温めるようにした椅子では、腰部や臀部を充分温めるに足る発熱量と持続時間を確保できない場合や、発熱に要する電気の使用量が多いため、電気代が高額となるという欠点があった。
【０００６】
また、電源が近くになければ使用できないため、単独で携行し、任意の場所で使用することができないという不具合もあった。
【０００７】
さらにまた、熱源から発せられる熱により、ただ単に腰部や臀部を温めるだけのものであったため、暖房機能は有するものの、人体に対する医療的な治療機能を有するものではなかった。
【０００８】
また、上述したようなペットハウスとしては、例えば低温に対する抵抗力が弱い子猫や子犬等のペットを飼育する時に、ペットハウスの床面及び側面にヒーター等の電気暖房器を備え、ペットハウス内の温度を上昇させるようにしたペットハウスが提案されている。（例えば、特許文献３参照。）
しかしながら、このようなペットハウスでは、ペットハウス内の空気を電気暖房器により直接加熱するため、ペットハウス内の空気が乾燥し、これによりペットが風邪等の疾病を引き起こし易くなるという問題があり、ペットにとって決して良い環境とは言えなかった。また、プラグを電源に差し込んだ状態でなければペットハウス内を暖房できなかったため、特にペットを家に留守番させて飼い主が出掛ける等する場合、ショートして火事が発生する可能性があり、飼い主はペットハウス内を暖房したまま安心して出掛けることができなかった。
【０００９】
また、電気カーペットを使用してペットを飼育することも行われているが、このような電気暖房器を使用すると、ペットに対して電磁波による障害等の悪影響を与え、更に皮膚病等の原因となる懸念があった。
【特許文献１】特開平１１−２６６９６６号公報
【特許文献２】実開平５−９５３５１号公報
【特許文献３】実開平１−１７５２１８号公報
【発明の開示】
【発明が解決しようとする課題】
【００１０】
本発明は上述したような実情に鑑みてなされたもので、その目的とするところは、使用電気代が極めて安く、自由に持ち運びができ、そして人体に対する医療的な治療にも適用できる着脱式暖房器を有する椅子を提供すると共に、電源を外した状態で暖房でき、猫や犬等のペットに対し、健康で快適に過ごすことができる環境を与えるペットハウスを提供することである。
【課題を解決するための手段】
【００１１】
本発明の上記目的は、着脱式の暖房器を有する保温具において、該保温具を少なくとも背凭れ部及び座部を有して成る椅子で構成し、前記背凭れ部の腰部当接面及び／又は前記座部の臀部当接面内部のクッション部材に前記着脱式暖房器を収納して成り、保温具が椅子であることを特徴とする着脱式暖房器を有する保温具を提供することによって、達成される。
【００１２】
また、本発明の上記目的は、前記着脱式暖房器は、遠赤外線を発する充電式アンカであることを特徴とする着脱式暖房器を有する保温具を提供することによって、効果的に達成される。
【００１３】
また、本発明の上記目的は、前記背凭れ部の腰部当接面又は前記座部の臀部当接面には、着脱自在又は開閉自在な蓋体が設けられ、かつ該蓋体には、熱放出用の複数個の孔又は凹部が設けられていることを特徴とする着脱式暖房器を有する保温具を提供することによって、より効果的に達成される。
【００１４】
また、本発明の上記目的は、前記背凭れ部の腰部当接面又は前記座部の臀部当接面は、前記クッション部材により突設されていることを特徴とする着脱式暖房器を有する保温具を提供することによって、より一層効果的に達成される。
【００１５】
さらにまた、本発明の上記目的は、前記椅子は座椅子であることを特徴とする着脱式暖房器を有する保温具を提供することによって、より一層効果的に達成される。
【００１６】
本発明の上記目的は、着脱式暖房器を有する保温具において、該保温具を少なくともペット出入口、天井、床面、周壁を有して成るペットハウスで構成し、前記床面及び／又は前記周壁の内部に前記着脱式暖房器を収納して成り、保温具がペットハウスであることを特徴とする着脱式暖房器を有する保温具を提供することによって、達成される。
【００１７】
また、本発明の上記目的は、前記着脱式暖房器は、遠赤外線を発する充電式アンカであることを特徴とする着脱式暖房器を有する保温具を提供することによって、効果的に達成される。
【００１８】
また、本発明の上記目的は、前記ペットハウスが保温性を有する材料で形成されていることを特徴とする着脱式暖房器を有する保温具を提供することによって、より効果的に達成される。
【００１９】
さらにまた、本発明の上記目的は、前記床面及び／又は前記周壁における前記着脱式暖房器の収納部には、蓋体が開閉可能に設けられていることを特徴とする着脱式暖房器を有する保温具を提供することによって、より一層効果的に達成される。
【発明の効果】
【００２０】
本発明に係る着脱式暖房器を有する保温具、特にこの保温具を椅子に適用した発明によれば、以下に列記するような効果が得られる。
（イ）発熱に要する電気代が極めて低額である。
（ロ）任意の場所に自由に携行して使用できる。
（ハ）腰部や臀部の暖房と共に、これらの部位における腰痛や痔等、あるいは
神経痛、冷え症等の人体に対する医療的な治療に対して効果がある。
【００２１】
特に、腰部や臀部の当接面を突設させ、この内部に暖房器を装着、収納して成る椅子によれば、長時間に渡ってこれらの部位の暖房や治療を程よく行うことができる。
【００２２】
また、本発明に係る着脱式暖房器を有する保温具、特にこの保温具をペットハウスに適用した発明によれば、上記（イ）、（ロ）の効果以外に、以下に列記するような効果が得られる。
（ニ）電源を外した状態でペットハウス内を暖房することができるので、特に飼い主がペットを家において出掛ける場合に、安心して出掛けることができる。
（ホ）ペットハウス内を一定の温度に保つことができるので、山間部や冬場等の低温時でもペットが快適に過ごせる環境を与えることができる。
（ヘ）のみ等の虫がペットに付着することを防止することができる。
【発明を実施するための最良の形態】
【００２３】
以下、本発明の内容を実施するための最良の実施形態について図面を参照しながら詳細に説明する。
【００２４】
図１は、本発明の第１実施例に係る着脱式暖房器を有する保温具の斜視図で、保温具が座椅子１である場合を示したものである。
【００２５】
本座椅子１は背凭れ部２と座部３とから構成され、背凭れ部２の腰部当接面４の内部のクッション部材に遠赤外線を発する着脱式暖房器である充電式アンカ５が収納されるように構成されている。
【００２６】
背凭れ部２及び座部３は、図２に断面図で示すように、例えば金属製パイプ又はプラスチックや木製等の骨格６を形成し、この周囲にウレタン等のクッション部材７を装着し、さらにこの表面に布、合成皮革、皮革、又はそれに類する素材のカバー８を被覆して成っている。
【００２７】
背凭れ部２の腰部当接面４はクッション部材７が外側に突出した状態に設けられており、この略中央部には充電式アンカ５が収納される凹状のアンカ収納部９が設けられている。
【００２８】
このアンカ収納部９の表面側、すなわち腰部当接面４には、図２中に矢印Ｘで示すように着脱自在又は開閉自在な蓋体１０が設けられている。この蓋体１０は前記クッション部材７と同一の材料で作られ、この蓋体１０の表面には充電式アンカ５から発せられる熱が外部に放出されるように複数個の熱放出孔１１が穿設されている。なお、この熱放出孔１１の大きさ及び数は、必要に応じ任意に設計されるものである。また、この熱放出孔１１の代わりに凹状のくぼみを設けても同様の効果を得ることができる。蓋体１０は使用時に開放され、この内部の収納部９に充電式アンカ５が装着、収納される。
【００２９】
ここで、図３（Ａ）、（Ｂ）に示すように、本実施例における充電式アンカ５には、例えば、全体形状が直径１６ｃｍ、厚みが４．５ｃｍの円盤状を成し、表面にプラグ差込口１２を有し、内部には天然石を加工して作られた発熱体を有して成るもので、イタリアで作られたアンカであることからイタリアアンカとして知られるものが使用されている。図３（Ａ）に示すように、この充電式アンカ５はプラグ差込口１２に、図３（Ｂ）に示すようなプラグ１３を介して電気コード１４が接続されて充電されるもので、例えば１回につき４分弱の充電時間で蓄熱されると、その約２０分後に６５℃まで温度が上昇し、裸の状態では１〜３時間、本実施形態のように座椅子１のクッション部材７の内部に収納した状態では２〜８時間に渡って、温度がゆっくり低下する特性を有している。このため本充電式アンカ５によれば、使用する電気代が非常に安くなる。例えば、前記使用条件の場合には、１回の充電で使用する電気代は約０．５円という驚くべき安さで済むので極めて経済的である。また、本充電式アンカ５は、裸のままアンカ収納部９に装着、収納して使用することもできるが、本充電式アンカ５は、加熱されると、前述したように表面温度が６０℃以上の高温になるため、人の手で直接持つと火傷をするので、図４に示すように、開口部１５より収納袋１６に充電式アンカ５を入れて、紐１７で収納袋の開口部１５を閉じ、アンカ収納部９に収納される。
【００３０】
また、この充電式アンカ５は、単なるヒーターとは異なり、遠赤外線を発する特性を有している。このため、本充電式アンカ５で腰部を温めると単に腰部を温めるのみならず、遠赤外線により腰痛の人体に対する医療的な治療にも効果があることが確認されている。また、神経痛や冷え症等の人体に対する医療的な治療に対しても効果が期待できる。
【００３１】
さらにまた、上述したように本座椅子１では背凭れ部２の腰部当接面４が柔軟なクッション部材７より突設され、この内側に剛性を有する充電式アンカ５が配置されている。このため、充電式アンカ５を収納するスペースを、この腰部当接面４に十分確保することができると共に、使用者は腰部の程よい当接加減をもって長時間に渡りゆったりと座っていることができる。
【００３２】
図５は、本発明の第１実施例の変更例である着脱式暖房器を有する椅子の部分断面図で、前記同様に椅子が座椅子１Ａである場合を示したものである。
【００３３】
本座椅子１Ａは、前記同様に背凭れ部２と座部３とから成っているが、座部３の臀部当接面１８の内部に着脱式暖房器である充電式アンカ５が収納されるようになっている点で相違している。なお、その他の構成は第１実施例のものと同一であるので、以下では同一構成要素には同一の符号を付して説明する。
【００３４】
本座椅子１Ａの座部３における臀部当接面１８は前記同様にクッション部材７が突出した状態に設けられており、この略中央部には充電式アンカ５が収納される凹状のアンカ収納部１９が設けられている。
【００３５】
このアンカ収納部１９の表面側、すなわち臀部当接面１８には図５中に矢印Ｙで示すように着脱自在又は開閉可能な蓋体２０が設けられている。前記同様に、この蓋体２０はクッション部材７と同一の材料で作られ、この蓋体２０の表面には充電式アンカ５から発せられる熱が外部に放出されるように複数個の熱放出孔２１が穿設されている。充電された充電式アンカ５は開放された蓋体２０からアンカ収納部１９内に装着、収納され、その後蓋体２０が閉じられて本座椅子１Ａは使用に供せられる。なお、蓋体２０は座部３の突出部に限らず座部全面に渡って開閉可能に設けるようにしても良い。
【００３６】
本座椅子１Ａは以上のとおり作られているので、臀部の暖房はいうまでもなく、前述した充電式アンカ５から発せられる遠赤外線の作用により、痔の治療にも効果があることが確認されている。また、前記同様に、神経痛や冷え症等の人体に対する医療的な治療に対しても効果が期待できる。
【００３７】
図６は、本発明の第１実施例の他の変更例である着脱式暖房器を有する椅子の斜視図で、背凭れ部と座部の両方に着脱式暖房器を備えた座椅子１Ｂを示したものである。
【００３８】
すなわち、本座椅子１Ｂは、上記座椅子１と座椅子１Ａの併合型であって、着脱式暖房器である充電式アンカ５が背凭れ部２の腰部当接面４と、座部３の臀部当接面１８の内部に装着、収納されている。
【００３９】
本座椅子１Ｂは以上のとおり作られているので、腰部と臀部の両方の暖房と共に、腰痛と痔の治療に対しても効果を奏する。
【００４０】
なお、以上の第１実施例に係る座椅子に肘掛部を設けると、一層リラックス感が得られ、長時間に渡り、じっくりと腰部や臀部の暖房や治療を行うことができる。
【００４１】
以上、本発明の内容を座椅子１について説明したが、本発明は必ずしも座椅子に限定されるものではなく、通常の脚付椅子や、劇場等の固定椅子等に適用されることはいうまでもない。特に上記座椅子１Ｂをパイプフレームにより骨格が形成された椅子に装着して「腰痛・痔治しアンカ椅子」として使用すると、ユニークで保温効果等が得られる椅子として普及させることが期待できる。
【００４２】
次に、本発明の第２実施例である着脱式暖房器を有する保温具がペットハウスである場合について説明する。以下に詳述するように、本発明に係るペットハウスは、前述したように座椅子１，１Ａ，１Ｂのアンカ収納部に収納して使用した着脱式暖房器である充電式アンカを、保温性を有する材料で作製したペットハウスの床面及び／又は周壁の内部に収納して成る保温具である。
【００４３】
図７は、本発明の第２実施例であるペットハウス２２の分解図である。本ペットハウス２２は、ペットハウス本体２３がペット出入口２４、天井２５、床面２６、及び周壁２７から成り、床面２６の内部の略中央部には着脱式暖房器である充電式アンカ５を収納するために凹状に形成されたアンカ収納部２８が設けられている。ペット出入口２４は、ペットが出入り可能な大きさに形成され、このペット出入口２４には、必要に応じ、通気性を有する蓋が開閉可能に設けられている。なお、本充電式アンカ５は前述したように、裸の状態でアンカ収納部２８に装着、収納して使用することもできるが、前述した座椅子１の場合と同様な理由によりアンカ収納袋１６に収納して、アンカ収納部２８に装着、収納して使用することが好ましい。
【００４４】
また、図７に分解図で、図８に側面部分断面図で、図９に正面図で示すように、本ペットハウス２２は、少なくとも充電式アンカ５を覆うことができる程度の大きさを有する蓋体２９を有している。この蓋体２９は一種の中敷としての機能を有するもので、この蓋体２９の上面にペットが座ったり、横になる等により最適な温度が得られるようになっている。
【００４５】
また、この蓋体２９の表面には、前述した座椅子１と同様に、充電式アンカ５から発せられる熱を外部に放出できるように複数個の熱放出孔３０を穿設しておくことが好ましい。また、この熱放出孔３０の代わりに複数個の凹部を設けておくことも可能であり、同様な効果を得ることができる。
【００４６】
本ペットハウス２２を構成する天井２５、床面２６、周壁２７、及び蓋体２９は、保温性を有する材料、例えばポリウレタン等のクッション部材により作製され、さらにこのポリウレタン等の表面は、静電気が発生しない布、例えばコットン又はそれに類する素材のカバーが被覆されている。なお天井２５、床面２６、周壁２７、及び蓋体２９に保温性を有する材料を使用することにより、充電式アンカ５の加熱温度をより長時間保持することができる。また、表面に静電気を発生しない布を使用することにより、ゴミや埃の付着を防止することができる。
【００４７】
また、上記ペットハウス２２では、床面２６と共に、ペットハウス本体２３の周壁２７にも充電式アンカ５を上記同様に備えることができる。
【００４８】
このように、周壁２７にも充電式アンカ５を備えることにより、保温効果を一層増すことができる。なお、周壁２７にのみ、充電式アンカ５を備えることができるように構成しても良い。
【００４９】
上述したように、本発明に係るペットハウスによれば、ペットが健康で快適に過ごすことができる環境を与えることができるようになる。また、上述したように電気代が非常に低額であるので経済的であり、所望の場所に手軽に携行できる。さらに、電源を外した状態でペットハウス内を暖房することができるので、特に飼い主がペットを家において出掛ける場合に、ペットが電源コードを齧る等によりショートして火事等が発生する心配がなく、安心して出掛けることができる。さらにまた、充電式アンカから発せられる遠赤外線により、のみ等の虫がペットに付着することを防止することができるようになる。
【００５０】
以上、本発明に係る椅子、及びペットハウスについて、着脱式暖房器が遠赤外線を発する充電式アンカである場合について説明したが、本発明はこのような充電式アンカに限らず、遠赤外線を発する公知の着脱式暖房器であれば適用できることは言うまでもない。
【図面の簡単な説明】
【００５１】
【図１】本発明の第１実施例に係る座椅子の斜視図である。
【図２】本発明の第１実施例に係る座椅子の側断面図である。
【図３】本発明に使用される充電式アンカ及び電気コードの斜視図である。
【図４】本発明に使用されるアンカ収納袋の斜視図である。
【図５】本発明の第１実施例の変更例である座椅子の部分断面図である。
【図６】本発明の第１実施例の他の変更例である座椅子の斜視図である。
【図７】本発明の第２実施例に係るペットハウスの分解図である。
【図８】本発明の第２実施例に係るペットハウスの側面部分断面図である。
【図９】本発明の第２実施例に係るペットハウスの正面図である。
【符号の説明】
【００５２】
１，１Ａ，１Ｂ    座椅子
２                背凭れ部
３                座部
４                腰部当接面
５                充電式アンカ（暖房器）
６                骨格
７                クッション部材
８                カバー
９，１９，２８    アンカ収納部
１０，２０，２９  蓋体
１１，２１，３０  熱放出孔（凹状のくぼみ）
１２              プラグ差込口
１３              プラグ
１４              電気コード
１５              開口部
１６              アンカ収納袋
１７              紐
１８              臀部当接面
２２              ペットハウス
２３              ペットハウス本体
２４              ペット出入口
２５              天井
２６              床面
２７              周壁
【図１】
2004243100.tif 000003
【図２】
2004243100.tif 000004
【図３】
2004243100.tif 000005
【図４】
2004243100.tif 000006
【図５】
2004243100.tif 000007
【図６】
2004243100.tif 000008
【図７】
2004243100.tif 000009
【図８】
2004243100.tif 000010
【図９】
2004243100.tif 000011